(57)【特許請求の範囲】
【請求項１】
通常の時刻及び前記時刻を修正する時の修正時刻を表示する単一の時刻表示部と、
前記時刻表示部の表示面側に装着される透明スピーカと透明マイクを兼用する透明スピーカ／マイクと、
通常は透明スピーカとして機能させ、前記時刻を修正する時のみ透明マイクとして機能させる透明スピーカ／マイク切換手段と、
前記透明スピーカ／マイクを取り付けて前記時刻表示部の表示面側に装着する透明支持部材とを備えたことを特徴とする透明スピーカ及びマイク一体型時刻表示装置。
【請求項２】
前記スピーカ／マイク切換手段は、装置本体側面に設けられていることを特徴とする請求項１記載の透明スピーカ及びマイク一体型時刻表示装置。
【発明の詳細な説明】
【０００１】
【発明の属する技術分野】
本発明は、透明スピーカとマイクを表示面に一体に設けた透明スピーカ及びマイク一体型表示装置に関し、特に腕時計やＭＤ，ＣＤ等の携帯用音響機器に好適である。
【０００２】
【従来の技術】
近年、音声入力により、時刻修正等の処理を行わせ、また音声や音楽等を出力できる機器が開発されている。例えば、特開昭６３−１５１９０号公報に音声入力電子時計が開示されている。
図８は、この音声入力電子時計を示す外観図、図９はこの音声入力電子時計の回路ブロック図である。
この音声入力電子時計５１は、図８に示すように、ケース５２、マイク５３、通常時刻表示装置５４、入力表示装置５５、報知装置５９からなる構成である。そして、回路としては、図９に示すように、さらに、音声認識回路５６と、判定回路５７と、計時回路５８を備えるものである。
さて、使用者が言葉を発音すると、マイク５３が音声信号を音声認識回路５６に送る。音声認識回路５６が、音声信号を認識して各言葉に対応した認識信号を出力し、判定回路５７にて認識信号を判定して、通常時刻表示装置５４、入力表示装置５５、計時回路５８、報知装置５９を制御する。
【０００３】
例えば、使用者が時刻を修正する場合、「修正」と発音すると、マイク５３が音声信号を音声認識回路５６に送る。音声認識回路５６が、音声信号を認識して「修正」に対応した認識信号を出力し、判定回路５７が「修正」と判定すると、計時回路５８を修正状態にする。使用者が修正時刻を発音すると、マイク５３、音声認識回路５６、判定回路５７と信号が出力され、入力表示装置５５に数字が表示される。この数字が非存時刻であれば、報知装置５９で報知する。修正時刻で確定すれば、計時回路５８は修正時刻に修正して通常時刻表示装置５４において時刻表示を行う。
【０００４】
【発明が解決しようとする課題】
この音声入力電子時計によれば、音声認識で時刻を修正することはできるが、時計本体にマイクとスピーカを設けるスペースが必要であり、装置の小型化を阻害しているとともに、表示領域が限定されるという問題があった。
【０００５】
本発明は、上記課題を鑑みて、透明マイク及び透明スピーカを用いて、表示領域を限定することなく、装置の小型化ができる透明マイク及び透明スピーカ一体型表示装置を提供することを目的とする。
【０００６】
【課題を解決するための手段】
本発明の透明スピーカ及びマイク一体型時刻表示装置は、通常の時刻及び前記時刻を修正する時の修正時刻を表示する単一の時刻表示部と、前記時刻表示部の表示面側に装着される透明スピーカと透明マイクを兼用する透明スピーカ／マイクと、通常は透明スピーカとして機能させ、前記時刻を修正する時のみ透明マイクとして機能させる透明スピーカ／マイク切換手段と、前記透明スピーカ／マイクを取り付けて前記時刻表示部の表示面側に装着する透明支持部材とを備えたことを特徴とする。
【０００７】
また、前記スピーカ／マイク切換手段は、装置本体側面に設けられていることを特徴とする。
【０００８】
本発明において、透明スピーカと透明マイクを兼用できるものを情報表示部上に設け、場合に応じてスピーカとマイクを使い分けるので、従来腕時計５１本体に設けていた通常のマイクや報知装置を設けるスペースが不要となる。
【０００９】
【発明の実施の形態】
以下、本発明の実施の形態について、図面を用いて説明する。
図１は、透明スピーカ及び透明マイク一体型表示装置を備えた音声入力腕時計の正面図、図２はこの表示装置の時刻表示図、図３は表示装置の側面図、図４は透明固定電極板に設けられる貫通孔を示す図である。
図１に示すように、音声入力腕時計１は、通常の時刻を表示する時刻表示部２と、報知音を出力しスピーカとして機能するとともに、時刻を入力するマイクとして機能する透明スピーカ／マイク３と、透明スピーカ／マイク３が取り付けられる透明枠４と、スピーカ機能とマイク機能とを切り換えるスピーカ／マイク切換スイッチ５とを備える。
なお、本例においては、図３に示すように、時刻表示部２の上に透明スピーカ／マイク兼用の装置が配置される構造であり、切換スイッチ５により機能を切り換える。また、時刻表示部２には液晶ディスプレイが用いられる。
【００１０】
次に、本発明によるスピーカ／マイク３の基本構成の一実施形態について説明する。
透明スピーカ３は基本的には静電型スピーカである。静電型スピーカには、プッシュプルタイプとシングルタイプがあるが、両タイプとも本発明を実現することができる。また、以下の説明は、シングルタイプにて説明する。
更に、透明マイク３は基本的には静電型マイクである。静電型マイクには、コンデンサ型とバイモルフ型があるが、両型とも本発明を実現することができる。また、以下の説明は、コンデンサ型にて説明する。
【００１１】
図３に示すように、スピーカ／マイク３が透明スピーカとして機能する場合は、音波を発生する透明振動板３ａ、透明振動板３ａを構成し透明振動板３ａのベース材となる透明フィルム３ａ1、透明フィルム３ａ1に形成され透明スピーカの一方の電極となる透明電極３ａ2、透明スピーカの固定電極となる透明固定電極板３ｂ、透明固定電極板３ｂを構成し透明固定電極板３ｂのベース材となるガラス基板３ｂ1、ガラス基板３ｂ1に形成され透明スピーカの他方の電極となる透明電極３ｂ2、透明振動板３ａ及び固定電極板３ｂを保持する透明枠４を備える。
【００１２】
また、スピーカ／マイク３が透明マイクとして機能する場合は、音波にて振動する透明振動板３ａ、透明振動板３ａを構成し透明振動板３ａのベース材となる透明フィルム３ａ1、透明フィルム３ａ1に形成され、透明マイクの一方の電極となる透明電極３ａ2、透明マイクの固定電極となる透明固定電極板３ｂ、透明固定電極板３ｂを構成し透明固定電極板３ｂのベース材となるガラス基板３ｂ1、ガラス基板３ｂ1に形成され透明マイクの他方の電極となる透明電極３ｂ2、透明振動板３ａ及び固定電極板３ｂを保持する透明枠４を備える。
【００１３】
また、固定電極板３ｂには孔３ｃが形成され、また、スピーカ／マイク３には振動スペースと空気用スペースの空間１０を備える。
まず、例えば透明枠４の側面の一方より、透明枠４の溝４ｂに沿って透明スピーカ／マイク３を挿入する等して透明枠４に取り付ける。透明枠４を腕時計１本体に取り付けることで、透明スピーカ／マイク３は時刻表示部２の前面部に図示のように配置され取り付けられる。
なお、透明枠４を腕時計１本体に取り付けず、時刻表示部２に直接取り付けてもよい。また、図示はしていないが、透明スピーカ／マイク３の接続リード線には透明電極材を配設し、電気的接続は全て透明化している。
【００１４】
透明スピーカ／マイク３は、透明振動板３ａと透明固定電極板３ｂとの配置が逆であっても、本発明は実現できるが、透明固定電極板３ｂを外部側（使用者側）に配置することで、透明振動板３ａを保護することができる。また、透明振動板３ａの前後面には、透明振動板３ａの振動スペースと空気用スペースとして、空間１０が設けられている。
【００１５】
透明電極３ａ2としては、例えば、酸化インジウム（Ｉｎ2Ｏ3）と酸化スズ（ＳｎＯ2）からなるＩＴＯ（Indium Tin Oxide）膜や酸化インジウム（Ｉｎ2Ｏ3）膜を導電性フィルム３ａ1上に、蒸着法やスパッタリング法にて成膜することで形成できる。なお、低抵抗，高透明度（高透過率），電極の微細加工が行い易いという点から、本発明においてはＩＴＯ膜が望ましい。
透明電極３ｂ2としては、例えば、前述したＩＴＯ膜をガラス基板上に成膜することで実現できる。
【００１６】
透明固定電極板３ｂには孔３ｃが多数設けられている。孔３ｃ方向は空間１０より使用者側方向に向かって設けられ、図３の矢印及び空気流で示すように、透明振動板３ａにて発生された音波は、この孔３ｃを通って、ディスプレイ部３の前面にいる視聴者に伝わる。従って、孔３ｃ方向を空間１０より使用者側方向に向かって設けることで、音波が直接視聴者に伝わる。
【００１７】
図５は音声入力電子時計の回路図である。
この音声入力電子時計１は、図５に示すように、時刻表示装置２、透明スピーカ／マイク３、スピーカ／マイク切換スイッチ５、スピーカ／マイク制御回路６、音声認識回路７、判定回路８と、計時回路９を備えるものである。
【００１８】
さて、腕時計の場合、通常は報知音を発生する状態がほとんどであり、スピーカ／マイク切換スイッチ５は、オフ状態でスピーカとして動作させている。ここで、スピーカ／マイク制御回路６は、スピーカ／マイク切換スイッチ５より出力されるオン／オフ信号に基づき、透明スピーカ／マイク３をスピーカ機能として動作させるか、マイク機能として動作させるかを制御するものであり、このときはスピーカとして動作させている。
【００１９】
時刻修正時に使用者がスピーカ／マイク切換スイッチ５をオン状態にし、マイク機能として動作させる。スピーカ／マイク制御回路６は、スピーカ／マイク３をマイクとして動作させる。
使用者が言葉を発音すると、マイク３が音声信号を音声認識回路７に送る。音声認識回路７が、音声信号を認識して各言葉に対応した認識信号を出力し、判定回路８にて認識信号を判定して、時刻表示装置２、計時回路９を制御する。
【００２０】
例えば、使用者が時刻を修正する場合、「修正」と発音すると、マイク３が音声信号を音声認識回路７に送る。音声認識回路７が、音声信号を認識して「修正」に対応した認識信号を出力し、判定回路８が「修正」と判定すると、計時回路９を修正状態にする。使用者が修正時刻を発音すると、マイク３、音声認識回路７、判定回路８と信号が出力され、時刻表示装置２に数字が表示される。修正時刻で確定すれば、計時回路９は修正時刻に修正して時刻表示装置２において時刻表示を行う。
【００２１】
図６は、スピーカ／マイク制御回路６の詳細を示す回路図である。図６の上側がスピーカ用、下がマイク用の回路を示している。
スピーカ側端子ＫＳは、判定回路８と接続され判定回路８よりの音声信号が入力される。更に端子ＫＳには、スイッチＳＷ１の一方が接続され、スイッチＳＷ１の他方は、マッチングトランスＭＴの入力端子が接続されている。
【００２２】
バイアス抵抗Ｒの一端には、スイッチＳＷ２が接続され、スイッチＳＷ２には、端子ＫＭが接続されている。端子ＫＭは、マイクの出力電圧端子であり、音声認識回路７に接続されている。従って、マイク音声は端子ＫＭより、音声認識回路７へ出力される。
【００２３】
端子ＫＣにはスピーカ／マイク切換スイッチ５からの信号が入力される。また、端子ＫＣは、スイッチ制御回路ＳＣと接続されている。スイッチ制御回路ＳＣは、スピーカ／マイク切換スイッチ５から入力される信号に基き、スイッチＳＷ１及びスイッチＳＷ２のオン／オフを切り換える制御信号を出力する。
【００２４】
例えば、ユーザの操作がなく、スピーカ／マイク切換スイッチ５から入力される信号がオフの場合、スイッチ制御回路ＳＣは、スイッチＳＷ１をオンする信号及びスイッチＳＷ２をオフする信号を出力する。従い、スイッチＳＷ１がオンすることで、判定回路７よりの音声信号がマッチングトランスＭＴに入力され、スピーカとしての動作が行われる。
【００２５】
時刻修正時は、ユーザの操作によりスピーカ／マイク切換スイッチ５から入力される信号がオンとなる。オンの信号が入力されると、スイッチ制御回路ＳＣは、スイッチＳＷ１をオフする信号及びスイッチＳＷ２をオンする信号を出力する。従って、スイッチＳＷ１がオフすることで、判定回路７よりの音声信号はマッチングトランスＭＴに入力されず、スピーカとしての動作は行われない。
この状態で、ユーザが修正する時刻を発すると、スイッチＳＷ２はオン状態であり、ユーザの発した音波は、音声信号として、端子ＫＭを通り音声認識回路７へ出力され、マイクとしての機能動作が行われる。
【００２６】
図７は、本発明の透明振動板及び透明固定電極板を備え、切り換え制御することで、透明スピーカあるいは透明マイクとして使用する他の実施例、すなわちＭＤポータブルレコーダである。
図７において、本発明のＭＤポータブルレコーダは、本体３１、録音や再生等を操作する各種キー３２、３２ａ、録音再生のモード表示や時刻表示等を表示するディスプレイ部３３、ディスプレイ部３３前面に配置され本体３１に取り付けられる透明枠３４、透明枠３４に取り付けられ透明スピーカあるいは透明マイクとして機能する透明スピーカ／マイク３５を備える。また、本体３１は、ヘッドホンやリモコンが接続される端子（図示せず）を備え、再生音は通常ヘッドホンで視聴する。更に、本体１は音声認識回路（図示せず）を備えている。
【００２７】
次に、本発明のＭＤポータブルレコーダの透明スピーカあるいは透明マイクとして使用する操作例について説明する。
操作キー３２ａは、透明スピーカ／マイク３５を透明スピーカとして使用するか、透明マイクとして使用するかを切り換え制御する操作キーであり、通常はオフとしておくことで、透明スピーカとして機能させておく。そうすることで、前述した腕時計の報知音を発生する機能として使用することや、音楽等の再生信号を入力させておけば、再生音が得られ再生スピーカとして使用することもでき、ヘッドホンを使用せずに音楽等を視聴することもできる。
【００２８】
一方、時刻表示において、表示時刻がズレて時刻を修正したい場合が生じる。この場合は、まず、操作キー３２ａをオンする。オンすることで、透明スピーカ／マイク３５は透明マイクとして機能する。この状態で、ユーザが修正する時刻を発音すれば、音声認識回路（図示せず）が機能し、時刻修正が実現できる。また、録音回路に接続させることで、録音用マイクとして使用することもできる。なお、動作説明は、前述した腕時計の説明と同様であり省略する。
【００２９】
本発明によれば、音声による時刻修正を実現出来る。更に、録音用マイクとして使用することが実現できることや、他人に音を出さないヘッドホンによる視聴、ヘッドホンを装着することなく耳への威圧感のない透明スピーカによる視聴との状況に応じた切換視聴も実現出来る。
【００３０】
【発明の効果】
以上説明したように、本発明装置によれば、透明スピーカ／マイクを情報表示部上に設け、場合に応じてスピーカとマイクを使い分けるので、従来腕時計本体に設けていた通常のマイクや報知装置を設けるスペースが不要となり、設計の自由度を拡大することができ、表示領域を最大限にとることができる。
【図面の簡単な説明】
【図１】透明スピーカ及び透明マイク一体型表示装置を備えた音声入力腕時計の正面図である。
【図２】この表示装置の時刻表示図である。
【図３】表示装置の側面図である。
【図４】透明固定電極板３ｂに設けられる孔を示す図である。
【図５】音声入力電子時計の回路図である。
【図６】スピーカ／マイク制御回路４の詳細を示す回路図である。
【図７】透明スピーカ及び透明マイク一体型表示装置を備えたＭＤポータブルレコーダの正面図である。
【図８】従来の音声入力電子時計の外観図である。
【図９】従来の音声入力電子時計の回路ブロック図である。
【符号の説明】
２  時刻表示部
３  透明スピーカ／マイク
３ａ  透明振動板
３ｂ  透明固定電極板
４  透明枠
５  切換スイッチ
６  スピーカ／マイク制御回路
【図１】
0003662505.tif 000002
【図２】
0003662505.tif 000003
【図３】
0003662505.tif 000004
【図４】
0003662505.tif 000005
【図５】
0003662505.tif 000006
【図６】
0003662505.tif 000007
【図７】
0003662505.tif 000008
【図８】
0003662505.tif 000009
【図９】
0003662505.tif 000010